(57)【要約】【課題】中継装置が輻輳時に隣接する中継装置と連携をとり、中継容量が不足する場合でも移動体装置との中継を可能とする。【解決手段】中継装置１２１の呼量測定手段１２４が呼量を測定し、呼量が一定値を超えた場合に近隣に位置する他の中継装置に呼量の超過を通知し、呼量超過の通知を受けた他の中継装置は、予備呼確保制御手段１２５により中継容量の一部を予備呼として超過した呼量に割り当て、予備呼の確保を呼量が超過した中継装置１２１に通知し、予備呼の確保の通知を受けた中継装置１２１は、移動体接続通知手段１２８により移動体装置１１１に接続先を他の中継装置へ変更するよう通知する。【選択図】図１
2006203924.tif 000002
【特許請求の範囲】
【請求項１】
自己の現在位置に応じて複数の中継装置を切り替えて通信を行う移動通信装置において、
複数の地理的位置ごとに接続すべき中継装置を指定した位置別中継装置情報を記録する位置別中継装置情報記録手段と、
自己の現在位置を測定する位置測定手段と、
前記位置測定手段により測定された現在位置に基づいて、前記位置別中継装置情報記録手段に記録された前記位置別中継装置情報より接続すべき中継装置を選択する中継装置選択手段とを有することを特徴とする移動通信装置。
【請求項２】
前記位置別中継装置情報は、前記移動通信装置が過去に接続を行った中継装置を前記複数の地理的位置ごとに指定していることを特徴とする請求項１に記載の移動通信装置。
【請求項３】
自己の現在位置に応じて複数の中継装置を切り替えて通信を行う移動通信方法において、
複数の地理的位置ごとに中継先とすべき中継装置を指定した位置別中継装置情報を記録する位置別中継装置情報記録ステップと、
自己の現在位置を測定する位置測定ステップと、
前記位置測定ステップにより測定された現在位置に基づいて、前記位置別中継装置情報記録ステップに記録された前記位置別中継装置情報より中継先とすべき中継装置を選択する中継装置選択ステップとを有することを特徴とする移動通信方法。
【請求項４】
前記位置別中継装置情報は、前記移動通信方法が過去に中継先とした中継装置を前記複数の地理的位置ごとに指定していることを特徴とする請求項３に記載の移動通信方法。
【発明の詳細な説明】
【技術分野】
【０００１】
この発明は、無線通信回線を介して接続された移動体装置と中継装置において、中継装置が輻輳時に隣接する中継装置と連携をとることによって、ある中継装置に中継容量が足りない場合でも移動体装置との中継を可能とし、継続的に通信サービスを可能とする技術に関するものである。
【背景技術】
【０００２】
図６は、公開特許広報、特開平７−３０７９７１「移動データ端末の最適通信相手選択方式」に示された従来の移動体装置および中継装置を簡略化したものであり、移動体装置と中継装置が無線通信回線を介して通信を行おうとするものである。
移動体装置６１１は、装置を個別に識別するための移動体ＩＤ６１３と、接続可能な中継装置ＩＤおよび電界強度の対を蓄積する移動体管理テーブル６１２と、移動体装置６１１を制御するための移動体制御手段６３１を有している。
また、中継装置６２１は、装置を個別に識別するための中継装置ＩＤ６２３と、接続してくる移動体装置６１１の移動体ＩＤ６１３を蓄積管理するための中継装置管理テーブル６２２と、中継装置６２１を制御するための中継装置制御手段６３２を有している。
【０００３】
次に動作について説明する。移動体制御手段６３１は、受信した基地局ＩＤを移動体管理テーブル６１２に蓄積し、発呼時に移動体管理テーブル６１２を検索し最も電界強度が強い中継装置ＩＤを持つ中継装置に対し接続を試みる。中継装置６２１は、移動体装置６１１から接続要求があると中継装置管理テーブル６２２に移動体ＩＤを登録し、移動体装置６１１と通信を行う。通信が終了すれば、移動体管理テーブル６２２から該当する移動体ＩＤを削除する。
【特許文献１】特開平０７−３０７９７１号公報
【特許文献２】特開平１１−２４３５８４号公報
【特許文献３】特開平０９−３２７０６７号公報
【特許文献４】特開平０５−０４１６９０号公報
【特許文献５】特開２０００−１７５２４３号公報
【特許文献６】特開平１１−０９８５５４号公報
【発明の開示】
【発明が解決しようとする課題】
【０００４】
ところが、上記の従来技術では、中継装置がその中継容量を越えた場合、次に接続してくる移動体装置の要求を処理できないという問題があった。
【０００５】
また、他の中継装置と連携し動作する処理がされないため、たとえサービス可能な別の中継装置が移動体装置の近辺に存在しても移動体装置の要求には応じることができないという問題があった。
【０００６】
また、他の中継装置の存在を移動体装置に伝達する方法がないため、移動体装置が最適な中継装置を選択できないという問題があった。
【０００７】
また、過去に接続された履歴および地理的位置との関係を保持する方法がないため、電波の状態などによって大きく変化する最適な中継装置を容易に選択できないという問題があった。
【０００８】
さらに、過去の履歴に基づき、移動体装置の接近を近隣の中継装置に伝達する方法がないため、あらかじめ容量を確保できない中継装置が、該当する移動体装置のサービスエリア入りに備えて準備できないという問題があった。
【０００９】
この発明は上記のような問題点を解決するためになされたもので、無線通信回線を介して接続された移動体装置と中継装置において、中継装置が輻輳時に隣接する中継装置と連携をとることによって、ある中継装置に中継容量が足りない場合でも移動体装置との中継を可能とし、継続的に通信サービスを可能とする技術の実現を目的とする。
【課題を解決するための手段】
【００１０】
少なくとも一つの無線通信装置が接続された中継装置であって、他の中継装置との間に通信経路が設定された中継装置において、
自己に接続された無線通信装置の呼の総量を測定し、前記呼の総量が一定値を超過した場合に前記呼の総量の超過を通知する呼量超過通知を生成する呼量測定手段と、
前記呼量測定手段により生成された前記呼量超過通知を前記他の中継装置に対して送信する中継装置通信手段とを有することを特徴とする。
【００１１】
前記中継装置通信手段は、前記他の中継装置より、前記他の中継装置の中継容量の一部が前記中継装置に接続された無線通信装置の呼に対して割り当てられたことを通知する予備呼確保通知を受信し、
前記中継装置は、更に、
前記中継装置通信手段により受信された前記予備呼確保通知に基づき、いずれかの無線通信装置に対して接続先を前記他の中継装置に変更するように通知する中継装置変更通知を生成する中継装置変更通知手段と、
前記中継装置変更通知手段により生成された前記中継装置変更通知を前記無線通信装置に対して送信する無線通信装置通信手段とを有することを特徴とする。
【００１２】
少なくとも一つ以上の無線通信装置が接続された他の中継装置との間に通信経路が設定された中継装置において、
前記他の中継装置より、前記他の中継装置に接続された無線通信装置の呼の総量が一定値を超過したことを通知する呼量超過通知を受信する中継装置通信手段と、
前記中継装置通信手段により受信された前記呼量超過通知に従って、自己の有する中継容量の一部を前記他の中継装置に接続された無線通信装置の呼に対して割り当てる予備呼確保手段とを有し、
前記中継装置通信手段は、前記予備呼確保手段により前記中継容量の一部が割り当てられたことを通知する予備呼確保通知を前記他の中継装置に対して送信することを特徴とする。
【００１３】
自己の現在位置に応じて複数の中継装置を切り替えて通信を行う移動通信装置において、
複数の地理的位置ごとに接続すべき中継装置を指定した位置別中継装置情報を記録する位置別中継装置情報記録手段と、
自己の現在位置を測定する位置測定手段と、
前記位置測定手段により測定された現在位置に基づいて、前記位置別中継装置情報記録手段に記録された前記位置別中継装置情報より接続すべき中継装置を選択する中継装置選択手段とを有することを特徴とする。
【００１４】
前記位置別中継装置情報は、前記移動通信装置が過去に接続を行った中継装置を前記複数の地理的位置ごとに指定していることを特徴とする。
【００１５】
無線通信装置の無線通信を中継する中継装置であって、他の中継装置との間に通信経路が設定された中継装置において、
無線通信装置ごとに自己への接続履歴を示す接続履歴情報を記録する接続履歴情報記録手段と、
前記接続履歴情報記録手段に記録された前記接続履歴情報を用いて、自己への接続を開始した接続開始無線通信装置の接続履歴の有無を検索する接続履歴検索手段と、
前記接続履歴検索手段により前記接続開始無線通信装置の接続履歴が確認された場合に、前記接続開始無線通信装置が自己に接続していることを前記他の中継装置に通知する接続通知を生成する接続通知手段と、
前記接続通知手段により生成された前記接続通知を前記他の中継装置に対して送信する中継装置通信手段とを有することを特徴とする。
【００１６】
少なくとも一つ以上の無線通信装置が接続された他の中継装置との間に通信経路が設定された中継装置において、
無線通信装置ごとに自己への接続履歴を示す接続履歴情報を記録する接続履歴情報記録手段と、
前記他の中継装置より、前記他の中継装置に特定の無線通信装置が接続されていることを通知する接続通知を受信する中継装置通信手段と、
前記接続履歴情報記録手段に記録された前記接続履歴情報を用いて、前記中継装置通信手段により受信された前記接続通知によって通知された前記特定の無線通信装置の接続履歴の有無を検索する接続履歴検索手段と、
前記接続履歴検索手段により前記特定の無線通信装置の接続履歴が確認された場合に、前記特定の無線通信装置の接続のために前記特定の無線通信装置に対して自己の有する中継容量の一部を予め割り当てる接続予約手段とを有することを特徴とする。
【００１７】
少なくとも一つの無線通信装置の無線通信を中継する中継方法であって、他の中継方法との間で通信を行う中継方法において、
自己が中継する無線通信装置の呼の総量を測定し、前記呼の総量が一定値を超過した場合に前記呼の総量の超過を通知する呼量超過通知を生成する呼量測定ステップと、
前記呼量測定ステップにより生成された前記呼量超過通知を前記他の中継方法に対して送信する中継方法通信ステップとを有することを特徴とする。
【００１８】
前記中継方法通信ステップは、前記他の中継方法より、前記他の中継方法の中継能力の一部が前記中継方法が中継する無線通信装置の呼に対して割り当てられたことを通知する予備呼確保通知を受信し、
前記中継方法は、更に、
前記中継方法通信ステップにより受信された前記予備呼確保通知に基づき、いずれかの無線通信装置に対して前記他の中継方法による中継に変更するように通知する中継方法変更通知を生成する中継方法変更通知ステップと、
前記中継方法変更通知ステップにより生成された前記中継方法変更通知を前記無線通信装置に対して送信する無線通信装置通信ステップとを有することを特徴とする。
【００１９】
少なくとも一つ以上の無線通信装置の無線通信を中継する他の中継方法との間で通信を行う中継方法において、
前記他の中継方法より、前記他の中継方法が中継する無線通信装置の呼の総量が一定値を超過したことを通知する呼量超過通知を受信する中継方法通信ステップと、
前記中継方法通信ステップにより受信された前記呼量超過通知に従って、自己の有する中継能力の一部を前記他の中継方法が中継する無線通信装置の呼に対して割り当てる予備呼確保ステップとを有し、
前記中継方法通信ステップは、前記予備呼確保ステップにより前記中継能力の一部が割り当てられたことを通知する予備呼確保通知を前記他の中継方法に対して送信することを特徴とする。
【００２０】
自己の現在位置に応じて複数の中継装置を切り替えて通信を行う移動通信方法において、
複数の地理的位置ごとに中継先とすべき中継装置を指定した位置別中継装置情報を記録する位置別中継装置情報記録ステップと、
自己の現在位置を測定する位置測定ステップと、
前記位置測定ステップにより測定された現在位置に基づいて、前記位置別中継装置情報記録ステップに記録された前記位置別中継装置情報より中継先とすべき中継装置を選択する中継装置選択ステップとを有することを特徴とする。
【００２１】
前記位置別中継装置情報は、前記移動通信方法が過去に中継先とした中継装置を前記複数の地理的位置ごとに指定していることを特徴とする。
【００２２】
無線通信装置の無線通信を中継する中継方法であって、他の中継方法との間で通信を行う中継方法において、
無線通信装置ごとの中継履歴を示す中継履歴情報を記録する中継履歴情報記録ステップと、
前記中継履歴情報記録ステップに記録された前記中継履歴情報を用いて、自己が中継を開始した中継開始無線通信装置の中継履歴の有無を検索する中継履歴検索ステップと、
前記中継履歴検索ステップにより前記中継開始無線通信装置の中継履歴が確認された場合に、自己が前記中継開始無線通信装置を中継していることを前記他の中継方法に通知する中継通知を生成する中継通知ステップと、
前記中継通知ステップにより生成された前記中継通知を前記他の中継方法に対して送信する中継方法通信ステップとを有することを特徴とする。
【００２３】
少なくとも一つ以上の無線通信装置の無線通信を中継する他の中継方法との間で通信を行う中継方法において、
無線通信装置ごとの中継履歴を示す中継履歴情報を記録する中継履歴情報記録ステップと、
前記他の中継方法より、前記他の中継方法が特定の無線通信装置を中継していることを通知する中継通知を受信する中継方法通信ステップと、
前記中継履歴情報記録ステップに記録された前記中継履歴情報を用いて、前記中継方法通信ステップにより受信された前記中継通知によって通知された前記特定の無線通信装置の中継履歴の有無を検索する中継履歴検索ステップと、
前記中継履歴検索ステップにより前記特定の無線通信装置の中継履歴が確認された場合に、前記特定の無線通信装置の中継のために前記特定の無線通信装置に対して自己の有する中継能力の一部を予め割り当てる中継予約ステップとを有することを特徴とする。
【発明の効果】
【００２４】
以上のように、本発明によれば、中継装置がその処理容量を測定し、一定水準を越えたことを他の中継装置に通知するため、ある中継装置の処理能力の超過を他の中継装置が事前に知ることが可能であるという効果がある。
【００２５】
以上のように、本発明によれば、中継装置が他の中継装置の処理能力あふれ予測情報に基づきあらかじめ処理能力の予約を行うことによって、他の中継装置の処理代替を容易に実現することが可能という効果がある。
【００２６】
以上のように、本発明によれば、中継装置からの指示によって移動体装置があらかじめ処理継続を確保された別の中継装置に変更可能であるため、中継装置の負荷分散と移動体装置の継続的処理が可能という効果がある。
【００２７】
以上のように、本発明によれば、地理的情報と最適な中継装置を記憶することで、次回に同一地理的位置から発呼する場合に最適な中継装置を選択可能という効果がある。
【００２８】
以上のように、本発明によれば、過去に接続履歴のある移動体端末の接近を他の中継装置に通知することによって、あらかじめ中継装置の処理容量の一部を確保し、継続的な通信処理を実現可能という効果がある。
【００２９】
以上のように、本発明によれば、他の中継装置から過去に接続した移動体装置の接続報告がなされるため、中継装置においてあらかじめその移動体装置のための処理能力確保が行え、計測的な通信処理を実現可能という効果がある。
【発明を実施するための最良の形態】
【００３０】
実施の形態１．
図１は、この発明の実施の形態をに係るシステム構成を示す構成図である。
図において、１１１は移動体装置であり、１２１は移動体装置１１１の情報の中継を行う中継装置である。また、１０１は無線通信回線であり、移動体装置１１１と中継装置１２１を接続している。
【００３１】
移動体装置１１１において、１１２は、複数存在する移動体を個別に識別するための移動体ＩＤである。１１３は、移動体管理テーブルを記録する移動体管理テーブル記録手段であり、移動体管理テーブルは、中継装置を個別に識別するＩＤと電界強度を保持する。１１４は、現在の移動体装置１１１の地理的位置を測定する位置測定手段である。１１５は、位置情報管理テーブル（位置別中継装置情報）を記録した位置情報管理テーブル記録手段（位置別中継装置情報記録手段）であり、位置情報管理テーブルは、過去に通信を行った地理的位置とそのとき接続した中継装置のペアを保持する。１１６は、位置情報管理テーブルに基づいて中継装置を選択する中継装置選択手段であり、１１７は、中継装置１２１との間で通信を行う通信手段であり、１３１は、移動体装置１１１全体を制御するための移動体制御手段である。
【００３２】
中継装置１２１において、１２２は複数存在する中継装置を個別に識別するための中継装置ＩＤであり、１２３は、中継装置１２１に接続する移動体装置の移動体ＩＤを保持する中継装置管理テーブルを記録した中継装置管理テーブル記録手段である。
また、１２４は、中継装置管理テーブルを用いて自己に接続された呼の総量を測定する呼量測定手段であり、１２５は、他の中継装置からの依頼に基づき中継装置の中継容量の一部を確保するための予備呼確保制御手段である。
１２６は、移動体装置１１１に対し接続先中継装置を変更することを通知する中継装置変更通知を生成する中継装置変更通知手段である。
１２７は、移動体装置の接続履歴を保持する移動体接続履歴管理テーブル（接続履歴情報）を記録する移動体接続履歴管理テーブル記録手段（接続履歴情報記録手段）であり、１２８は、移動体接続履歴管理テーブルに含まれた移動体ＩＤを持つ移動体装置が自己に接続していることを他の中継装置１２１に通知する移動体接続通知手段である。
１２９は、接続履歴のある移動体装置１１１が自己に接近している旨の通知を他の中継装置１２１から受信し、接続の準備のために中継容量の一部を当該移動体装置１１１のために予約する移動体接続予約手段である。
１３３は、移動体装置１１１と通信を行う移動体通信手段（無線通信装置通信手段）であり、１３４は、他の中継装置と通信を行う中継装置通信手段である。
１３５は、移動体接続履歴管理テーブルを用いて移動体装置１１１の接続履歴を検索する接続履歴検索手段である。
１３２は、これら中継装置１２１全体を制御する中継装置制御手段である。
【００３３】
次に動作について説明する。
中継装置１２１では、中継装置制御手段１３２が移動体装置１１１からの接続を待っており、移動体装置１１１からの接続要求があれば、中継装置制御手段１３２は中継装置管理テーブルを調べ、空きがあれば、すなわち、中継可能であれば移動体ＩＤ１１２を中継装置管理テーブルに格納し、移動体装置１１１との通信を開始する。
図５は、中継装置管理テーブルを詳しく記述したものであって、移動体ＩＤを格納するための移動体ＩＤ欄５０２があり、例５０１では、移動体装置１と移動体装置２が現在接続しており、２つが空きになっている。
【００３４】
一方、移動体装置１１１は、移動体制御手段１３１によって、移動体装置１１１が接続可能な複数の中継装置を各々識別する中継装置ＩＤと各中継装置の電界強度のペアを移動体管理テーブルに格納し、更新する。
図４は、移動体管理テーブルを詳しく記述したものであって、中継装置ＩＤを格納するための中継装置ＩＤ欄４０２と、その電界強度を格納するための電界強度欄４０３の対からなる。例４０１では、中継装置１と２が検出されており、中継装置１の電界強度は強度１、中継装置２の電界強度は強度５になっている。さらに２つの欄が空きになっている。
いま、移動体装置１１１が発呼した場合、移動体制御手段１３１は、移動体管理テーブルを検索し、電界強度が高い中継装置１２１を接続先として発呼を行う。中継装置１２１の容量に空きがあり接続できれば移動体装置１１１と中継装置１２１は通信を開始する。さもなくば、移動体装置１１１は話中になり、初期状態に戻る。
【００３５】
次に、中継装置１２１の呼量の測定及び予備呼の確保の手順について説明する。
なお、以下、説明の便宜のため、呼量の測定を行う中継装置を中継装置Ａとし、予備呼の確保を行う中継装置を中継装置Ｂとする。
中継装置Ａにある呼量測定手段１２４では、中継装置管理テーブルの利用状況を監視しており、現在通信を実施中の移動体装置の数がテーブルの容量の半数を超過したならば、呼量測定手段１２４は呼の総量が許容量を超過したと判断し、呼量の超過を通知する呼量超過通知を生成する。なお、上記では、テーブルの容量の半数を基準としているが、これは一例であり、異なる値とすることも可能である。
そして、呼量測定手段１２４により生成された呼量超過通知は、中継装置制御手段１３２によって中継装置通信手段１３４に渡され、中継装置通信手段１３４から他の中継装置Ｂに送信される。この通知の後、中継装置制御手段１３２は他の中継装置Ｂからの応答を待つ。
【００３６】
一方、他の中継装置Ｂでは、中継装置Ａから報告された呼量超過通知を受信し、中継装置Ｂの予備呼確保制御手段１２５が、中継装置管理テーブルを検索し、空きが存在すれば中継装置Ａの呼のために中継容量を予約する。
この処理が完了すれば、予備呼確保制御手段１２５は、予備呼確保を通知する予備呼確保通知を生成し、生成された予備呼確保通知は中継装置制御手段１３２により中継装置通信手段１３４に渡され、中継装置通信手段１３４から要求元の中継装置Ａに対して送信される。
中継装置Ａは、中継装置Ｂより送信された予備呼確保通知を中継装置通信手段１３４を通じて受信し、中継装置Ｂにおける予約の完了を知る。
【００３７】
また、中継装置管理テーブルの容量の半分が超過し、また、予備呼確保通知の受信により中継装置Ｂにおける予約の完了を知った後、中継装置Ａ内の中継装置変更通知手段が、移動体装置１１１に対し他の中継装置Ｂに接続を変更するよう通知する中継装置変更通知を生成する。
生成された中継装置変更通知は、移動体通信手段１３３より移動体装置１１１に対して送信される。
この通知を受信した移動体装置１１１は、現在接続中の中継装置Ａから変更指示を受けた中継装置Ｂに変更することで通信を続行する。
【００３８】
このように、本実施の形態によれば、中継装置が、他の中継装置に対して処理容量のあふれ予測を事前に通知することによって、移動体装置の通信を中継する中継装置間の連携をとることが可能になる。
また、他の中継装置から通知された処理容量のあふれ予測に基づき、事前に処理容量の一部を予約し、要求した中継装置に予約の完了を通知することが可能になる。
また、中継装置から移動体装置に対して、予約された別の中継装置に接続先を変更させることが可能になる。
【００３９】
実施の形態２．
本実施の形態では、移動体装置１１１の中継装置選択手段１１６が、位置情報管理テーブル（位置別中継装置情報）を用いて接続すべき中継装置を選択する手順について説明する。
なお、移動体装置１１１の構成及び中継装置１２１の構成については図１と同様であり、以下、図１を用いて説明する。
【００４０】
移動体装置１１１には、位置測定手段１１４が存在し、発呼を行った際、位置情報管理テーブルに現在の地理的位置を示す情報と、接続を実施した中継装置ＩＤのペアを保持する。このように発呼の度に、地理的位置と接続を行った中継装置の中継装置ＩＤを位置情報管理テーブルに記録していき、次に同じ位置で発呼を行った際に、位置情報管理テーブルに保有された中継装置ＩＤに基づいて最適な中継装置を容易に選択することができる。
図２は、位置情報管理テーブルを詳しく記述したものであって、位置情報を保持する位置情報欄２０２と中継装置ＩＤを保持する中継装置ＩＤ欄２０３の対から構成されている。
例２０１では、位置１では中継装置１を、位置２では中継装置２を、位置３では中継装置ｎを接続すべき中継装置として選択することを示しており、さらに１つの空きが存在する。
【００４１】
次に、移動体装置１１１が発呼を行おうとした場合、中継装置選択手段１１６は、まず位置測定手段１１４からの現在位置情報に基づき、位置情報管理テーブルを検索する。
検索結果、現在の位置と合致する位置情報が得られた場合、移動体制御手段１３１は、位置情報管理テーブルに記載された中継装置ＩＤに接続を試みる。
接続がなされない場合は、移動体管理テーブルに保持された中継装置ＩＤと電界強度の対に従い、最適な中継装置ＩＤを接続先として変更し再度接続を実施する。
【００４２】
このように、本実施の形態によれば、移動体装置が、地理的位置情報と中継装置の対を記憶しておくことによって、あらかじめ最適な中継装置を知ることができ、最適な中継装置に容易に接続することが可能になる。
【００４３】
実施の形態３．
次に、中継装置１２１が、接続を試みた移動体装置１１１の過去の接続履歴を検索し、接続履歴が確認された場合に、他の中継装置１２１が当該移動体装置の接続の予約を行う処理について説明する。なお、移動体装置１１１の構成及び中継装置１２１の構成については図１と同様であり、以下、図１を用いて説明する。
また、移動体装置１１１が接続を試みている中継装置１２１を中継装置Ａとし、中継装置Ａの周辺に存在する他の中継装置１２１を中継装置Ｂとして説明をする。
【００４４】
先ず、移動体装置１１１が接続を試みた場合に、中継装置Ａ内の接続履歴検索手段１３５は、その移動体装置１１１の移動体ＩＤを用いて、当該移動体ＩＤが移動体接続履歴管理テーブルに存在しているか否か、即ち、その移動体装置１１１の過去の接続の有無を検索する。
移動体接続履歴管理テーブルは、過去に中継装置Ａに接続を行った移動体装置の移動体ＩＤを接続履歴として保持している。このため、接続履歴検索手段１３５は、移動体ＩＤを用いて移動体接続履歴管理テーブル内を検索し、過去にその移動体装置１１１が自己に対して接続を行ったか否かを検査することができる。
【００４５】
そして、接続履歴検索手段１３５による検索が成功した場合、即ち、移動体装置１１１の接続履歴が確認された場合は、移動体接続通知手段１２８が、当該移動体装置１１１が中継装置Ａに接続していることを通知する接続通知を生成し、中継装置通信手段１３４を介して他の中継装置である中継装置Ｂに接続通知を送信する。これにより中継装置Ｂは、特定の移動体ＩＤをもつ移動体装置１１１が中継装置Ａに接続中であること、又は中継装置Ｂに接近中であることを知ることになる。
なお、接続通知の送信に関しては、中継装置Ａの周辺に配置された複数の中継装置を中継装置Ｂとし、これら複数の中継装置Ｂに対して接続通知を同報送信してもよい。
【００４６】
次に、接続通知を受信することによって移動体装置１１１が接近することを通知された中継装置Ｂでは、接続履歴検索手段１３５が移動体接続履歴管理テーブルを検索する。検索が成功した場合、即ち、当該移動体装置１１１の接続履歴が中継装置Ｂの移動体接続履歴管理テーブル上で確認された場合は、移動体接続予約手段１２９が中継装置管理テーブルの一部（中継容量の一部）を、通知された移動体装置１１１の接続のために予約する。検索が失敗すれば、予約はなされない。
この後、中継装置Ｂは、中継装置Ａに対して予約を行った旨の通知を送る。
【００４７】
図３は、以上の処理を経た後の中継装置Ａの中継装置管理テーブルの例を示したものであり、移動体ＩＤを保持する移動体ＩＤ欄３０２と、予約状況を示す予約状況欄３０３から構成される。例３０１では、移動体１が中継装置Ｂにおいて予約中であり、また、移動体２は過去の履歴があるが、現在は予約なしの状態、さらに２つの空き領域が存在することを示している。
【００４８】
このように、本実施の形態によれば、中継装置が、過去に接続したことのある移動体装置のＩＤを保持することと、接続がなされた場合、他の中継装置にこれを通知することで、他の中継装置に接続準備を促すことが可能になる。
さらに、中継装置が過去に接続した移動体ＩＤと他の中継装置からの連絡に基づき、処理容量の確保を事前に行うことが可能となる。
【００４９】
なお、上記の実施の形態１〜３では、中継装置及び移動体装置について説明を行ったが、同様の手順により本発明に係る中継方法及び移動通信方法も実現することができる。
【００５０】
以上説明してきた本発明の特徴を以下にてまとめる。
本発明に係る中継装置は、無線通信回線を介して接続された、移動体装置とその中継装置において、中継容量が一定水準超過を検出する呼量測定手段と、中継容量が一定水準を越えたことを無線通信回線を介して通知する無線制御手段とを持ち、中継容量が一定水準を越えた場合、他の中継装置にこれを通知することを特徴とする。
【００５１】
また、本発明に係る中継装置は、他の中継装置が通知した呼の一定水準超過に応じあらかじめ中継容量の一部を予約する予備呼確保制御手段と、予約の状態を無線通信回線を介して通知する無線通信手段とを持ち、あらかじめ中継容量の一部を予約しそれを要求した中継装置に通知することを特徴とする。
【００５２】
また、本発明に係る中継装置は、中継装置に接続している移動体装置に他の中継装置の存在を通知する中継装置変更通知手段をもち、移動体装置に対し接続する中継装置を別の中継装置に変更すること指示することを特徴とする。
【００５３】
また、本発明は、無線通信回線を介して接続された、移動体装置とその中継装置において、移動体装置において現在の地理的位置を測定する位置測定手段と、移動体装置の位置に依存し最適な中継装置を記憶するテーブルと、移動体装置が発呼する前にテーブルを参照しあらかじめ保存された中継装置に接続する無線制御手段をもち、過去の位置情報と現在の位置情報を比較し最も近い距離にある過去のテーブル情報を参照することで接続する中継装置を決定することを特徴とする。
【００５４】
移動体装置と、その中継装置において、本発明に係る中継装置は、移動体装置の識別番号を接続履歴として保持するテーブルと、接続してきた移動体装置の識別番号と前述テーブルに保持された内容を比較する無線制御手段と、同一の識別番号を発見したことを他の中継装置に通知する移動体接近通知装置を持ち、過去に接続した履歴のある移動体装置が接近していることを他の中継装置に伝達することを特徴とする。
【００５５】
また、本発明に係る中継装置は、他の中継装置から通知された移動体装置接近に応じ、
移動体装置の識別番号を接続履歴として保持するテーブルを検索する無線制御手段と、同一の識別番号を発見した場合、あらかじめ中継容量の一部を確保する移動体接続予約手段を持ち、他の中継装置から接近が通知された移動体装置識別番号が、過去に接続した履歴のあるものであった場合、あらかじめ接続に備えて中継容量を確保することを特徴とする。
【図面の簡単な説明】
【００５６】
【図１】移動体装置および中継装置を示す構成図である。
【図２】位置情報管理テーブルを詳細に示した図である。
【図３】中継装置管理テーブルを詳細に示した図である。
【図４】移動体管理テーブルを詳細に示した図である。
【図５】中継装置管理テーブルを詳細に示した図である。
【図６】従来技術に係る移動体装置および中継装置を示す構成図である。
【符号の説明】
【００５７】
１０１  無線通信回線、１１１  移動体装置、１１２  移動体ＩＤ、１１３  移動体管理テーブル記録手段、１１４  位置測定手段、１１５  位置情報管理テーブル記録手段、１１６  中継装置選択手段、１１７  通信手段、１２１  中継装置、１２２  中継装置ＩＤ、１２３  中継装置管理テーブル記録手段、１２４  呼量測定手段、１２５  予備呼確保制御手段、１２６  中継装置変更通知手段、１２７  移動体接続履歴管理テーブル記録手段、１２８  移動体接続通知手段、１２９  移動体接続予約手段、１３１  移動体制御手段、１３２  中継装置制御手段、１３３  移動体通信手段、１３４  中継装置通信手段、１３５  接続履歴検索手段。
【図１】
2006203924.tif 000003
【図２】
2006203924.tif 000004
【図３】
2006203924.tif 000005
【図４】
2006203924.tif 000006
【図５】
2006203924.tif 000007
【図６】
2006203924.tif 000008